(57)【要約】【課題】  タッチパネルキーを使わずにＬＣＤに表示されるモード設定条件の選択、設定を可能とし、しかも同様の目的を持つ従来技術に比べより少ない操作によって実現する。【解決手段】  ＬＣＤの表示画面の上下及び左右方向にマトリクス状に配した表示項目（機能）の行、列数に対応した数のキーを表示窓１０ｗに近接させて、上下キー群１２ｖ及び左右キー群１２ｈとして設け、各々のキー群１２ｖ、１２ｈからそれぞれ少なくとも一つのキーを選択して押下げ、この操作を検知する制御部は、検知された行及び列が交差する位置の機能が選択されたと認識しモード設定等を行う。また、音声ガイダンスを付加し、ＬＣＤ表示に頼らなくても設定操作ができるようにする従属発明も示されている。【選択図】          図３
2005222257.tif 000002
【特許請求の範囲】
【請求項１】
可変表示器を備えた操作部を有し、可変表示器の画面の上下方向及び左右方向にマトリクス状に配した表示項目を入力操作により選択し、選択した表示項目に対応する動作条件を設定可能とした電子機器であって、前記可変表示器の画面にマトリクス状に配した表示項目の行、列数に対応した数のキーを上下及び左右各々の方向に配設したキー群よりなる操作手段と、前記キー群から上下及び左右各々の方向のキーが選択操作されたときに、選択されたキーが表す行、列のマトリクスの交点によって指定される表示項目に対応する設定条件の入力或いは解除を判定する手段を備えたことを特徴とする電子機器。
【請求項２】
請求項1に記載された電子機器において、前記キー群は可変表示器の表示窓に近接し、画面の表示項目に対応する位置に配したことを特徴とする電子機器。
【請求項３】
請求項1又は２に記載された電子機器において、前記キー群からキーが選択操作されたときに、選択されたキーに対応した音声ガイダンスを行う手段を備えたことを特徴とする電子機器。
【請求項４】
請求項３に記載された電子機器において、前記音声ガイダンスは選択した表示項目、操作の結果を知らせる手段であることを特徴とする電子機器。
【請求項５】
請求項1乃至４のいずれかに記載された電子機器において、前記可変表示器の画面上で表示項目の選択操作を可能とするタッチパネルを備えたことを特徴とする電子機器。
【請求項６】
可変表示器と、該可変表示器の画面の上下方向及び左右方向にマトリクス状に配した表示項目の行、列数に対応したキーを上下及び左右各々の方向に配設したキー群よりなる操作手段を備えた操作部を有し、キーの入力操作により表示項目を選択し、選択した表示項目に対応する動作条件を設定可能とした電子機器が有するコンピュータに、上下及び左右各々の方向に配設したキー群中の一方向のキーに対する第１の選択操作が行われたときに、選択されたキーにより指定された配列に属する表示項目の表示形態を変化させる手順と、キー群中の他の方向のキーに対する第２の選択操作が行われたときに、選択されたキーにより指定された配列に属する表示項目のうち第１の選択操作により指定された表示項目を設定条件として確定する手順を実行させるためのプログラム。
【発明の詳細な説明】
【技術分野】
【０００１】
本発明は、可変表示器を備えた操作パネルから動作条件の設定が可能な電子機器に関し、より特定すれば、可変表示器にマトリクス状に配した表示項目（機能、設定条件等）の行、列に対応して各々の方向に配設したキー群を用いて設定条件の選択操作を可能とした可変表示操作パネルを有する電子機器及び入力操作処理プログラムに関する。
【背景技術】
【０００２】
今日、諸種の電子機器で多機能化が進展し、機器を使用するときに動作条件として、利用する機能や機能の実行条件をユーザが選択、設定する必要があり、機能が増えるに従って設定操作も複雑になってきている。
この問題に対して、操作を分かりやすくかつ操作パネルを簡素化するために、従来からＬＣＤ（液晶表示装置）等の可変表示器を操作部に用いている。ＬＣＤの例にも見られるように、可変表示器を用いる場合には、可変表示が可能な画面で操作を案内し、ユーザのキー入力に従い画面を切り替えながら、設定操作を進行させる。
この場合、表示画面に機能や実行条件の選択項目を複数表示し、複数の表示項目から入力操作によって指定した項目の選択を可能とするといった動作を行うようにしている。また、画面の表示項目を選択する入力操作をワンタッチで可能とするために、画面上にタッチパネルを設け、この動作による入力を実現している。
【０００３】
近年、多機能化の進展が目覚しい電子機器として、デジタル複写機を例示することができる。デジタル複写機では、操作部に大型ＬＣＤを有し、その画面上にタッチパネルが実装されているものが多く存在している。ユーザはＬＣＤ上の表示項目を確認し、その項目の中から選択したい機能の表示部分に触れることにより、タッチパネルにより位置が検出され、機能が選択、設定される。
しかしながら、タッチパネルに故障が発生した場合、故障したタッチパネルを交換しない限り、機能を選択することができなくなり、その間モード設定ができないという問題が生じる。
この問題に対して、下記特許文献１に示す提案がなされた。特許文献１は、タッチパネルキーを使わずに液晶ディスプレイ上に表示されるモード設定を可能にするもので、対象切替キーと称するカーソル動作を行うキーを使用して、画面に表示された複数の機能から選択する機能を指示するための動作を行うことを可能にするもので、キー操作をすると配列されている機能表示を所定の配列順に従い順次、選択状態に移行させる。
【特許文献１】特開平11-205509号公報
【発明の開示】
【発明が解決しようとする課題】
【０００４】
しかしながら、上記特許文献１に示される従来技術では、カーソル動作を行うキーを使用しているので、画面に表示された機能が多くなればなるほど、機能の選択時にキー操作によって配列順に従い順次移行動作を行い、選択したい機能に達するまでのキー操作の回数が増え、操作性が悪化してしまう。
また、上記特許文献１に示される従来技術もそうであるように、ＬＣＤ等の可変表示器を操作部に用いて設定操作を行う従来技術においては、目の不自由な人の操作を想定していないので、こうした人の入力操作ができず、未解決の課題として残されている。
本発明は、上記した従来技術における問題に鑑み、これを解決するためになされたもので、その解決課題は、タッチパネルキーを使わずに液晶ディスプレイ上に表示されるモード設定条件の選択、設定ができるようにし、しかも同様の目的をもって提供された上記特許文献１に示される従来技術に比べて、より少ない操作による選択、設定を可能にすることにある。また、上記した課題を解決するために提供される手段をベースにするも、液晶ディスプレイ上の表示に頼ることなく、目の不自由な人によっても操作を可能にすることをさらなる課題とする。
【課題を解決するための手段】
【０００５】
請求項１の発明は、可変表示器を備えた操作部を有し、可変表示器の画面の上下方向及び左右方向にマトリクス状に配した表示項目を入力操作により選択し、選択した表示項目に対応する動作条件を設定可能とした電子機器であって、前記可変表示器の画面にマトリクス状に配した表示項目の行、列数に対応した数のキーを上下及び左右各々の方向に配設したキー群よりなる操作手段と、前記キー群から上下及び左右各々の方向のキーが選択操作されたときに、選択されたキーが表す行、列のマトリクスの交点によって指定される表示項目に対応する設定条件の入力或いは解除を判定する手段を備えたことを特徴とする電子機器である。
請求項２の発明は、請求項1に記載された電子機器において、前記キー群は可変表示器の表示窓に近接し、画面の表示項目に対応する位置に配したことを特徴とするものである。
【０００６】
請求項３の発明は、請求項1又は２に記載された電子機器において、前記キー群からキーが選択操作されたときに、選択されたキーに対応した音声ガイダンスを行う手段を備えたことを特徴とするものである。
請求項４の発明は、請求項３に記載された電子機器において、前記音声ガイダンスは選択した表示項目、操作の結果を知らせる手段であることを特徴とするものである。
【０００７】
請求項５の発明は、請求項1乃至４のいずれかに記載された電子機器において、前記可変表示器の画面上で表示項目の選択操作を可能とするタッチパネルを備えたことを特徴とするものである。
請求項６の発明は、可変表示器と、該可変表示器の画面の上下方向及び左右方向にマトリクス状に配した表示項目の行、列数に対応したキーを上下及び左右各々の方向に配設したキー群よりなる操作手段を備えた操作部を有し、キーの入力操作により表示項目を選択し、選択した表示項目に対応する動作条件を設定可能とした電子機器が有するコンピュータに、上下及び左右各々の方向に配設したキー群中の一方向のキーに対する第１の選択操作が行われたときに、選択されたキーにより指定された配列に属する表示項目の表示形態を変化させる手順と、キー群中の他の方向のキーに対する第２の選択操作が行われたときに、選択されたキーにより指定された配列に属する表示項目のうち第１の選択操作により指定された表示項目を設定条件として確定する手順を実行させるためのプログラムである。
【発明の効果】
【０００８】
請求項１，２，６の発明によると、上下及び左右方向に配設したキー群からそれぞれ少なくとも一つのキーを選択し操作することにより可変表示器の表示項目を指定し、表示項目に対応する設定条件の入力或いは解除を可能にしたので、タッチパネルキーを使わずに動作条件の設定が可能になり、しかも上記特許文献１に示される従来技術に比べて少ないキー操作により実行することが可能になる。
また、請求項３，４の発明によると、音声ガイダンスによってキーの選択、操作の結果或いはキー操作に必要な情報を音声で知らせることを可能にしたので、可変表示器を頼らなくても入力操作が可能になり、目の不自由な人によっても使用が可能になる。
また、請求項５の発明によると、タッチパネルを併用することを可能にしたので、タッチパネルによるワンタッチの設定操作の利用が可能になり、一方の入力操作手段の故障が起きても、動作モードの設定操作を保証することができる。
【発明を実施するための最良の形態】
【０００９】
本発明を添付する図面とともに示す以下の実施形態に基づき説明する。以下に示す実施形態は、本発明の電子機器をデジタル複写機とし、その実施形態を例示する。本実施形態に例示するデジタル複写機は、スキャナ入力された画像データから記録媒体に複写画像を形成するという基本的な複写機の機能をデジタル処理により実現する、というデジタル複写機において一般化した、即ち公知の構成を備えたものであることを前提としている。
従って、デジタル複写機を使用するときに、利用する機能や機能の実行条件を動作条件として設定するための入力操作を行う操作部に関する本発明に特有の構成部分以外の、公知のデジタル複写機が一般的に備える構成部分については、記載を省略する。
図１は、本実施形態のデジタル複写機における操作部に関する構成を概略的に示すブロック図である。
図1に示すように、本実施形態のデジタル複写機における操作部は、構成要素として、操作部全体を制御する制御部（ＣＰＵ）１５と、制御部１５にバス接続され、制御部１５の制御下で動作を行う、ＬＣＤ（液晶表示装置）１０と、ＬＣＤ１０上に実装されるタッチパネル１１と、ＬＣＤ１０の表示（利用する機能や機能の実行条件の表示）に関連付けて操作される下辺のキー、左辺のキー（後述の図２の説明、参照）及びテンキー等からなるハードキー１２と、音声ガイダンスを行うための音声合成部１３と、音声を出力するスピーカ１４と、制御部１５が実行するプログラムや音声合成のためのデータなどを格納するＲＯＭ１６と、制御に必要な各種パラメータ等を記憶させ、動作時にワークメモリとして機能するＲＡＭ１７を備える。
なお、制御部（ＣＰＵ）１５は、デジタル複写機全体を制御する主制御部であっても良い。
【００１０】
次に、図１に概略構成を示した操作部を基礎に実施し得る、本発明に特有の構成部分とその動作について詳細に説明する。
本発明においては、ＬＣＤ表示を利用するもタッチパネルキーを使わずにモード設定等の動作条件の設定を可能にし、しかも従来技術（上記［特許文献１］参照）に比べて少ないキー操作により実行できるようにすることを、その解決すべき課題とする。
そのために、ＬＣＤの表示画面の上下及び左右方向にマトリクス状に配した表示項目（モード設定等の項目）の行、列数に対応した数のキーを上下及び左右各々の方向に配設したキー群を備え、上下及び左右各々のキー群から選択したキーに対する入力操作により設定を行うようにする操作手段を用いる。
このような操作手段を用いて実行し得るモード設定の入力操作に関する実施形態を以下に「実施形態１」〜「実施形態３」として示す。「実施形態１」には、基本的な実施形態を、「実施形態２」には、ＬＣＤの表示画面を頼らなくても入力操作を可能にする音声ガイダンスを付加した実施形態を、さらに「実施形態３」には、タッチパネルによるワンタッチの設定操作を併用可能にする実施形態を示す。
【００１１】
「実施形態１」
図２は、本実施形態における操作部のＬＣＤを備えた操作パネルを示したものである。同図に示すように、操作パネル１９には、ＬＣＤ１０の表示窓１０ｗある。ユーザは表示窓１０ｗを通して、入力操作のガイダンスやモード設定に使用する選択キー等の表示画面を見る。なお、本実施形態では、タッチパネルは不用であるから表示窓１０ｗには表示に必要な要素のみでよく、従って、図１に示す操作回路においてもタッチパネル１１を設ける必要はない。また、音声ガイダンスを行うための音声合成部１３と、音声を出力するスピーカ１４も本実施形態においては不用な要素である。
また、ハードキー１２として、テンキー１２ｔ、スタートキー１２ｓ、以外に、後記で詳述する上下キー群１２ｖ及び左右キー群１２ｈを設け、ユーザの操作によるキーの押下げによりスイッチ動作を行い、制御部１５がその押下状態を検出する。
【００１２】
図３は、ＬＣＤが表示する操作画面の一例を示す。同図に示す例では、表示画面の上下及び左右方向にマトリクス状に配した表示項目には、上の行に“等倍” “変倍” “A3→A4” “A4→A3”を、又下の行に “表紙／合紙” “用紙指定変倍” “両面／集約” “編集／印字”を上の行と整列して、それぞれの機能を示すようにしている。この中から設定する機能を選択する。
表示画面に配した機能の表示項目を選択するために、上下キー群１２ｖ及び左右キー群１２ｈを用いる。これらのキー群は、図３に示すように、ＬＣＤの表示画面の上下及び左右方向にマトリクス状に配した表示項目の行、列数に対応した数のキーを表示窓１０ｗに近接させて、上下及び左右位置に対応付けて配設することにより好適に実施し得る（なお、図３の例では１行目は機能が無く空きになっている）。
上下キー群１２ｖ及び左右キー群１２ｈを用いて表示項目の選択を行う際には、各々のキー群１２ｖ、１２ｈからそれぞれ少なくとも一つのキーを選択して押下げ、この操作を検知する制御部１５は、検知された行及び列が交差する位置の表示項目（機能）が選択機能として指定されたと認識して、モード設定等を行うことを可能にする。
【００１３】
上記した上下キー群１２ｖ及び左右キー群１２ｈの入力操作による機能（モード）設定動作のフローを以下の実施形態の例示よって説明する。なお、以下の記載で、「ＬＣＤ左辺キー」という場合には、図３に示すように、ＬＣＤの表示窓１０ｗの左辺に接して上下キー群１２ｖを設けているので、上下キー群１２ｖを指す。また、「ＬＣＤ下辺キー」という場合には、同様に左右キー群１２ｈを指す。
図６は、本実施形態の機能（モード）設定動作のフローを示す図である。
このフローは、本デジタル複写機に対しユーザによってコピー出力要求が行われたときに、要求された出力処理に対するモード設定入力を可能にするために制御部１５によって起動される入力操作処理プログラムに従って実行されるフローである。
図６を参照すると、先ず、ＬＣＤ下辺キー１２ｈの押下をチェックする（ステップＳ１０１）。キーの押下を検知した場合には、選択されたキーに対応するＬＣＤ画面上の表示項目列を反転表示とし、選択結果を表す（ステップＳ１０２）。図４は、この時に反転表示する画面の変化を例示する図で、同図に示すように、ＬＣＤ下辺キー１２ｈの左から２番目の押下により、このキーに対応する列１０ａを反転表示する。
その後、上下（行）方向のＬＣＤ左辺キー１２ｖの押下をチェックする（ステップＳ１０３）。キーが押下されると、選択されたキーに対応する行の機能が上記ステップで反転させた列（図４参照）の中から選択されたと判断し、その結果に従ってＬＣＤの画面を次の設定画面に遷移させる（ステップＳ１０４）。例えば、図４のように反転している状態でＬＣＤ左辺キー１２ｖの上から２番目のキーの押下によって、行が指定され、指定された列と行の交差位置にある「変倍」機能が選択されたと判断する。「変倍」機能が選択されると、さらに変倍モードの詳細な設定条件を選択する画面に遷移させる。図５は、この時の表示画面を例示するもので、同図に示すように、変倍モードの詳細な設定条件の選択キーとして、各“％キー”、“縮小キー” “拡大キー” “ズームキー” “等倍キー”等のキーの選択画面を表示する。
【００１４】
また、列を選択することにより、図４に示すように列を反転表示させた状態とするステップＳ１０２の後、ＬＣＤ左辺キー１２ｖが押下されずに（ステップＳ１０３-NO）、他のＬＣＤ下辺キー１２ｈが押下された場合には（ステップＳ１０５-YES）、押されたキーの列を反転表示する（ステップＳ１０２）。
但し、この時に本実施形態では、反転している列のキーが再度押下された場合には反転が解除され、元の表示に戻るようにする。つまり、キャンセルして最初から選択をし直すことを可能にする。従って、フローにおける手順としては、他のＬＣＤ下辺キー１２ｈが押下された場合には（ステップＳ１０５-YES）、既に押下されたと同じキーが再び押されたか否かをチェックし（ステップＳ１０６）、同じキーでなければ（ステップＳ１０６-NO）、他のキーの列を反転表示する処理を行う（ステップＳ１０２）。他方、同じキーであれば（ステップＳ１０６-YES）、元の表示に戻すようにして（ステップＳ１０７）、最初から選択をし直すことができるようにステップＳ１０１に戻す。
ここまでに説明したフローでは、先にＬＣＤ下辺キー１２ｈが押下された後に、ＬＣＤ左辺キー１２ｖが押下された場合についてであったが、逆の順番にキーが押下される場合も当然生じ得るので、この場合にも同様に機能を選択し、設定することができるように、そのための手順を用意する。図６に示すフロー図では、“ステップＳ１１２〜１１７＋ステップＳ１０４”が、この手順に当たる。
逆の順番、即ちＬＣＤ左辺キー１２ｖが先に押下された場合に対応する“ステップＳ１１２〜１１７＋ステップＳ１０４”は、先にＬＣＤ下辺キー１２ｈが押下された場合のフローとして示した上記ステップＳ１０１〜１０７において、ＬＣＤ下辺キー１２ｈとＬＣＤ左辺キー１２ｖを入れ替えた以外は、同一の手順を“ステップＳ１０１-NO”の後段に付加することにより実施することが可能である。なお、上記したように“ステップＳ１１２〜１１７＋ステップＳ１０４”は、ＬＣＤ下辺キー１２ｈとＬＣＤ左辺キー１２ｖを入れ替えた以外は、同一の手順であるから、上記ステップＳ１０１〜１０７についての説明を参照することとし、ここでは説明は省略する。
また、本実施形態では、上記のようにＬＣＤの表示窓１０ｗの下辺と左辺に接してキー群を配置したが、下辺と右辺、上辺と右辺、上辺と左辺の組み合わせでもよい。或いは、上下左右全てにキーを配置し、上下どちらでも列が選択でき、左右どちらでも行が選択できるようにしてもよい。更に、上下或いは左右のキーを相互に半分ずつずらした位置へ配置し、行列を細分化することもできる。キーの数については、画面上の表示項目数に対応して定まり、上記実施形態に示されるキー数に限定されるものではない。
さらに、上記の例示では、選択された列或いは行を反転表示するとしたが、色を変える、凸表示を凹表示にするなど、目視で識別可能な手段であれば、いずれの方法を採用しても良い。
【００１５】
「実施形態２」
上記実施形態１では、ＬＣＤの表示画面にマトリクス状に表示した機能の選択を上下及び左右各々のキー群からのキー選択操作により行うモード設定入力操作方式の基本的な実施形態を示したが、本実施形態は、上記実施形態１をベースに音声ガイダンスを付加することにより、ＬＣＤの表示画面を頼らずに同様のキー選択操作を可能にする改善を図るものである。
本実施形態における操作部を構成する要素は、実施形態１をベースとしているので実施形態１が備えるとした要素は同じように必要とする、また、それ以外に、図１の構成に示したような形態で、音声ガイダンスを行うための音声合成部１３と、音声を出力するスピーカ１４を備える必要がある。なお、本実施形態でもタッチパネルは不用であるから、表示窓１０ｗには表示に必要な要素のみでよく、タッチパネル１１を設ける必要はない。
音声ガイダンスは、モード設定時に上下及び左右各々のキー群に対する選択操作を上記実施形態１に示した手順に従って行えるように、キー操作時に実行した操作の結果或いは次のキー操作に必要な情報を音声で知らせることがその役割であり、キーが操作されたときにその都度、その状態に応じたガイダンスデータ（情報）を予め格納しておいたＲＯＭ１６から取り出して、音声合成部１３とスピーカ１４を通してその出力処理を行う。
【００１６】
図７は、本実施形態の機能（モード）設定動作のフローを示す図である。
このフローは、本デジタル複写機に対しユーザによってコピー出力要求が行われたときに、要求された出力処理に対するモード設定入力を可能にするために制御部１５によって起動される入力操作処理プログラムに従って実行されるフローである。
図７を参照すると、先ず、ＬＣＤ下辺キー１２ｈの押下をチェックし（ステップＳ２０１）、キーの押下を検知した場合、ＬＣＤ画面上の選択されたキーに対応する表示項目列を反転表示とし（図４参照）、選択結果を表す（ステップＳ２０２）。同時に、表示項目列に割り振られている機能名称を上から順番に、該当する音声データをＲＯＭ１６から読み出して、音声合成部１３へ送る。音声合成部１３は音声合成し（ステップＳ２０３）、スピーカ１４より出力する（ステップＳ２０４）。このときに音声ガイダンスに従って、次に選択する機能のキー操作を行うことを可能にするので、キー配列との関係がわかるような案内が必要であり、機能を単純に音声合成するだけでなく、補足したものを出力するというケースが生じる。例えば、図４の反転表示により示された選択が行われた場合には、選択されている列の機能を案内する音声は、上から“ 「機能なし」 「変倍」 「用紙指定変倍」 です ”といったものとし、機能がない場合にも、それを認識できるように「機能なし」という音声を捕捉して出力する。
【００１７】
その後、上下（行）方向のＬＣＤ左辺キー１２ｖの押下をチェックし（ステップＳ２０５）、キーが押下されると、選択されたキーに対応する行の機能が上記ステップで反転させた列（図４参照）の中から選択されたと判断し、その結果に従ってＬＣＤの画面を次の設定画面に遷移させる（ステップＳ２０６）。例えば、図４のように反転している状態でＬＣＤ左辺キー１２ｖの上から２番目のキーの押下によって、行が指定され、指定された列と行の交差位置にある「変倍」機能が選択されたと判断する。「変倍」機能が選択されると、さらに変倍モードの詳細な設定条件を選択する画面に遷移させる（図５参照）。画面の遷移と同時に、選択した機能を音声で知らせるために、“変倍を選択しました”という案内をする音声データをＲＯＭ１６から読み出して、音声合成部１３へ送る。音声合成部１３はこの音声を合成し（ステップＳ２０７）、スピーカ１４より出力する（ステップＳ２０８）。
なお、機能が無い個所を選択した場合には、“そこには機能がありません”などの音声、あるいは“プップップ”というような無効であることを表すアラーム音をスピーカ１４より出力し、ユーザへ知らせるようにすると、操作を円滑に進行することが可能になる。
【００１８】
また、列を選択するステップＳ２０２〜２０４の後、ユーザの望む機能がないためにＬＣＤ左辺キー１２ｖが押下されずに（ステップＳ２０５-NO）、他のＬＣＤ下辺キー１２ｈが押下された場合には（ステップＳ２０９-YES）、列の選択を変更した場合であり、再び押されたキーの列を選択するステップＳ２０２〜２０４の手順を先に示したと同様に実行する。
但し、この時に本実施形態では、一旦選択された（反転している）列のキーが再度押下された場合には選択状態が解除され、初期の状態に戻すようにする。つまり、キャンセルして最初から選択をし直すことを可能にする。従って、フローにおける手順としては、他のＬＣＤ下辺キー１２ｈが押下された場合には（ステップＳ２０９-YES）、既に押下されたと同じキーが再び押されたか否かをチェックし（ステップＳ２１０）、同じキーでなければ（ステップＳ２１０-NO）、他のキー列に対する選択処理を行う（ステップＳ２０２）。他方、同じキーであれば（ステップＳ２１０-YES）、反転表示を元に戻し（ステップＳ２１１）、一旦選択したキーをキャンセルした旨を音声で知らせるために、“選択した機能をキャンセルしました 最初から操作をやり直して下さい”という案内をする音声データをＲＯＭ１６から読み出して、音声合成部１３へ送る。音声合成部１３はこの音声を合成し（ステップＳ２１２）、スピーカ１４より出力し（ステップＳ２１３）、その後、最初から選択操作をやり直すことができるようにステップＳ２０１に戻す。
ここまでに説明したフローでは、先にＬＣＤ下辺キー１２ｈが押下された後に、ＬＣＤ左辺キー１２ｖが押下された場合についてであったが、逆の順番にキーが押下される場合も当然生じ得るので、この場合にも同様に機能を選択し、設定することができるように、そのための手順を用意する。図７に示すフロー図では、“ステップＳ２２１〜２３０＋ステップＳ２０６〜２０８”が、この手順に当たる。
逆の順番、即ちＬＣＤ左辺キー１２ｖが先に押下された場合に対応する“ステップＳ２２１〜２３０＋ステップＳ２０６〜２０８”は、先にＬＣＤ下辺キー１２ｈが押下された場合のフローとして示した上記ステップＳ２０１〜２１３において、ＬＣＤ下辺キー１２ｈとＬＣＤ左辺キー１２ｖを入れ替えた以外は、同一の手順を“ステップＳ２０１-NO”の後段に付加することにより実施することが可能である。なお、上記したように“ステップＳ２２１〜２３０＋ステップＳ２０６〜２０８”は、ＬＣＤ下辺キー１２ｈとＬＣＤ左辺キー１２ｖを入れ替えた以外は、同一の手順であるから、上記ステップＳ２０１〜２１３についての説明を参照することとし、ここでは説明は省略する。
【００１９】
また、本実施形態では、上記のように下辺キー、左辺キーの一方のキー群から選択したキーを押した後に、他方のキー群から選択したキーを押下するとしたが、表示窓に関連付けて配したキー群を押した後に、選択した列（或いは行）に表示されている機能を選択する場合に、テンキーを用いて選択機能を指定するような方法を採用しても良い。テンキーを用いる場合には、機能の表示列の上から（或いは行の左から）順番に番号を割り当て、割り当てた番号を音声でガイドすれば、該当する番号をテンキーで操作することにより機能選択が可能になる。上記の例（図３，４参照）では、下辺キーが押された後、テンキーの２を押すことで“変倍”機能を選択できる。テンキーの数字の配置は規格化されているので、目の不自由な人でも比較的容易に操作を行うことが可能である。
また、本実施形態では、音声ガイダンスを出力するか、否かを設定により選択することができるようにしておく。このようにしておけば、音声ガイダンスが必要な状況に応じてこの機能を利用することができ、パフォーマンスの向上を図ることが可能になる。
【００２０】
「実施形態３」
上記実施形態１では、ＬＣＤの表示画面にマトリクス状に表示した機能の選択を上下及び左右各々のキー群からのキー選択操作により行うモード設定入力操作方式の基本的な実施形態を示し、上記実施形態２では、上記実施形態１をベースに音声ガイダンスを付加することにより、ＬＣＤの表示画面を頼らずに同様のキー選択操作を可能にする改善を図る実施形態を示した。本実施形態は、さらに、ＬＣＤにタッチパネルを実装し、タッチパネル方式の併用によって、より操作性の良いモード設定入力を可能にするものである。
なお、以下に示す実施形態では、実施形態２においてタッチパネル方式を併用した形態を例示する。従って、本実施形態における操作部を構成する要素は、実施形態２が備えるとした要素を同じように必要とし、また、それ以外に、図１の構成に示したようにタッチパネル１１を備える必要がある。
タッチパネル方式自体は、公知の方式であり、ユーザはＬＣＤ上に表示された機能（図３参照）の中から選択したい機能の表示部分に触れることにより、表示面に実装されたタッチスイッチが接触を検知し、触れた機能が選択、設定される方式である。従って、ワンタッチ操作により機能が選択、設定され、最も操作性が良い。
また、タッチパネル方式の場合、ワンタッチ操作により選択が可能であるから、下辺キー、左辺キー用いた操作を行なっているときに、タッチパネルの操作による動作を可能にすると、下辺キー、左辺キーによる動作に不具合が生じるので、下辺キー、左辺キー用いた操作による設定動作が進行しているときには、タッチパネルの操作による動作を無効にする。
【００２１】
図８は、本実施形態の機能（モード）設定動作のフローを示す図である。
このフローは、本デジタル複写機に対しユーザによってコピー出力要求が行われたときに、要求された出力処理に対するモード設定入力を可能にするために制御部１５によって起動される入力操作処理プログラムに従って実行されるフローである。
本実施形態は、上記したように、実施形態２においてタッチパネル方式を併用した形態であるから、先ず、下辺キー、左辺キーを用いる方式（実施形態２、参照）が選ばれているか、或いはタッチパネル方式が選ばれているかによって、フローを分岐する。
即ち、図８に示すように、タッチパネル１１の押下をチェックし（ステップＳ３０１）、タッチパネルの押下を検知した場合、タッチパネル方式による設定入力操作の処理フローに入り、タッチパネルの押下がなく、下辺キー、左辺キーの押下を検知した場合（ステップＳ３０２，Ｓ３２１-YES）、下辺キー、左辺キーを用いる方式による設定入力操作の処理フローに入る。
タッチパネル方式による設定入力操作の処理フローに入ると（ステップＳ３０１-YES）、タッチした（押下）位置を検出して、表示画面上の機能の表示エリア（位置）を押下している場合には、入力操作は有効であるから、押下位置から有効／無効の判断をして（ステップＳ３１６）、有効である場合には、そのエリアに表示されている機能を選択結果として得、その結果に従ってＬＣＤの画面を次の設定画面に遷移させ（ステップＳ３１７）、この動作フローを抜ける。なお、タッチパネルの押下位置を判断して、入力操作が無効と判断される場合には（ステップＳ３１６-NO）、初期状態に戻す。
【００２２】
他方、下辺キー、左辺キーの押下を検知した場合（ステップＳ３０２，Ｓ３２１-YES）、これらのキーを用いる方式による設定入力操作の処理フローに入る。この処理フロー、即ち、図８におけるステップＳ３０２〜３０９と“ステップＳ３２１〜３３０＋ステップＳ３０７〜３０９”は、実施形態２において図７を参照して示したＳ２０１〜２１３と“ステップＳ２２１〜２３０＋ステップＳ２０６〜２０８”と同一の手順である。従って、実施形態２において述べたＳ２０１〜２１３と“ステップＳ２２１〜２３０＋ステップＳ２０６〜２０８”についての説明を参照することとし、ここでは説明は省略する。但し、下辺キー、左辺キーを用いる方式による処理フローに入った場合には、図８のフロー図に示す通り、タッチパネル１１が押下されても、この処理フローを抜けるまではタッチパネルの入力を無効とする。
また、上記の例ではＬＣＤの画面上のキーレイアウトは、タッチパネルを用いる場合も下辺キー、左辺キーを用いる場合でも同一としたが、例えば、画面切替キーといった名称のキーを用意し、このキーが押されると、タッチパネルが有効な画面と下辺キー、左辺キーが有効な画面とを切替えるようにしても良い。このようにすると、タッチパネルではキー位置を自由に設定できるという点を生かし、それぞれの動作に最適なレイアウトを採用することが可能になる。
【図面の簡単な説明】
【００２３】
【図１】本実施形態のデジタル複写機における操作部に関する構成を概略的に示すブロック図である。
【図２】本実施形態のデジタル複写機における操作部のＬＣＤを備えた操作パネルを示したものである。
【図３】ＬＣＤが表示する入力操作画面の一例を示す。
【図４】キーの選択操作により反転表示する画面の変化を例示する図である。
【図５】変倍モードにおける設定条件の入力操作画面の一例を示す。
【図６】機能（モード）設定動作のフロー（実施形態１）を示す図である。
【図７】機能（モード）設定動作のフロー（実施形態２）を示す図である。
【図８】機能（モード）設定動作のフロー（実施形態３）を示す図である。
【符号の説明】
【００２４】
１０・・ＬＣＤ、                  １０ｗ・・表示窓、
１１・・タッチパネル、              １２・・ハードキー、
１２ｖ・・ＬＣＤ左辺キー１２ｖ、    １２ｈ・・ＬＣＤ下辺キー１２ｖ、
１３・・音声合成部、                １４・・スピーカ部、
１５・・制御部（ＣＰＵ）、            １９・・操作パネル。
【図１】
2005222257.tif 000003
【図２】
2005222257.tif 000004
【図３】
2005222257.tif 000005
【図４】
2005222257.tif 000006
【図５】
2005222257.tif 000007
【図６】
2005222257.tif 000008
【図７】
2005222257.tif 000009
【図８】
2005222257.tif 000010